(57)【特許請求の範囲】
【請求項１】
上面に開口部を有する矩形箱状の容器本体に収容される、内容物が充填されたフィルム製の詰め替え袋であって、
前記詰め替え袋は、前面フィルムと背面フィルムとが接合されているトップシール部及び一対のサイドシール部を有し、前記トップシール部の下方を一方のサイドシール部から他方のサイドシール部に向かって破断することにより開封可能になされており、
前記サイドシール部は、該サイドシール部における破断を開始する部位である開封開始部に、上側より下側が該サイドシール部の幅方向の外側に張り出した段差部が設けられており、
前記段差部は、前記サイドシール部の前記上側の側端縁と前記下側の側端縁とを接続する接続端縁の、前記幅方向における中点での接線が、前記上側の側端縁から前記下側の側端縁に向けて下り傾斜しており、
前記開封開始部には、前記上側の側端縁よりも前記幅方向の内側に、前記幅方向に延びるスリットが設けられており、
前記スリットを、前記接線が横切っている、詰め替え袋。
【請求項２】
前記開封開始部に、目視可能な目印が設けられている、請求項１に記載の詰め替え袋。
【請求項３】
内容物が充填されたフィルム製の内容物収容袋であって、
前記内容物収容袋は、前面フィルムと背面フィルムとが接合されているトップシール部及び一対のサイドシール部を有し、前記トップシール部の下方を一方のサイドシール部から他方のサイドシール部に向かって破断することにより開封可能になされており、
前記サイドシール部は、該サイドシール部における破断を開始する部位である開封開始部に、上側より下側が該サイドシール部の幅方向の外側に張り出した段差部が設けられており、
前記段差部は、前記サイドシール部の前記上側の側端縁と前記下側の側端縁とを接続する接続端縁の、前記幅方向における中点での接線が、前記上側の側端縁から前記下側の側端縁に向けて下り傾斜しており、
前記開封開始部には、前記上側の側端縁よりも前記幅方向の内側に、前記幅方向に延びるスリットが設けられており、
前記スリットを、前記接線が横切っている、内容物収容袋。
【発明の詳細な説明】
【技術分野】
【０００１】
本発明は、詰め替え袋及び内容物収容袋に関する。
【背景技術】
【０００２】
粉末洗剤等の粉末状物質やゲル状物質等の内容物を収容して使用される容器として、板紙やプラスチックシート等の板紙状材料により形成された箱形容器が知られている。この箱形容器は、一般に、収容した内容物がなくなると破棄される。
【０００３】
一方、本出願人は、省資源化を図る観点から、内容物をフィルム製の袋に充填し、箱形容器内の内容物がなくなったときに、袋ごと箱形容器に詰め替えて、箱形容器を繰り返し使用できるようにした詰め替え袋を提案した（特許文献１参照）。
【先行技術文献】
【特許文献】
【０００４】
【特許文献１】特開２０１２−２４０６８７号公報
【発明の概要】
【発明が解決しようとする課題】
【０００５】
特許文献１の詰め替え袋は、詰め替え袋ごと箱形容器に入れて使用する場合、詰め替え袋は、箱形容器に入れた後に開封される。そのため、例えば、内容物を充填した詰め替え袋を箱形容器に入れることで詰め替え袋が変形すると、詰め替え袋の開封位置を認識し難くなり、開封が困難になるおそれがある。特に、視覚障害者や視力が低下した高齢者等においては、開封位置が認識困難となり易く、開封位置が容易に認識可能な詰め替え袋が望まれていた。
これに対しては、開封位置の近傍に切欠き部を設けることで開封位置を触感によって認識しやすくすることも考えられるが、切欠き部を設けると、箱形容器に詰め替え袋を入れる際に、切欠き部が箱形容器に引っ掛かり、詰め替え袋が意図せずに開封してしまうおそれがある。また、このような詰め替え袋は、開封方向に引き裂きやすい構造になっている場合が多く、この場合、流通時や販売時等に、切欠き部を介して引き裂き方向へ応力が作用すると、切欠き部から詰め替え袋が不必要に開封してしまうおそれがある。
【０００６】
そこで、本発明は、不要な開封を防止しつつ、開封位置を容易に認識可能な詰め替え袋及び内容物収容袋を提供することを課題とする。
【課題を解決するための手段】
【０００７】
本発明は、上面に開口部を有する矩形箱状の容器本体に収容される、内容物が充填されたフィルム製の詰め替え袋であって、前記詰め替え袋は、前面フィルムと背面フィルムとが接合されているトップシール部及び一対のサイドシール部を有し、前記トップシール部の下方を一方のサイドシール部から他方のサイドシール部に向かって破断することにより開封可能になされており、前記サイドシール部は、該サイドシール部における破断を開始する部位である開封開始部に、上側より下側が該サイドシール部の幅方向の外側に張り出した段差部が設けられている、詰め替え袋を提供するものである。
【０００８】
また本発明は、内容物が充填されたフィルム製の内容物収容袋であって、前記内容物収容袋は、前面フィルムと背面フィルムとが接合されているトップシール部及び一対のサイドシール部を有し、前記トップシール部の下方を一方のサイドシール部から他方のサイドシール部に向かって破断することにより開封可能になされており、前記サイドシール部は、該サイドシール部における破断を開始する部位である開封開始部に、上側より下側が該サイドシール部の幅方向の外側に張り出した段差部が設けられている内容物収容袋を提供するものである。
【発明の効果】
【０００９】
本発明によれば、不要な開封を防止しつつ、開封位置を容易に認識可能な詰め替え袋を提供することができる。
本発明によれば、不要な開封を防止しつつ、開封位置を容易に認識可能な内容物収容袋を提供することができる。
【図面の簡単な説明】
【００１０】
【図１】図１は、本発明の実施形態に係る詰め替え袋に内容物が充填された状態を示す斜視図である。
【図２】図２は、本実施形態に係る詰め替え袋に内容物が充填されていない状態を示す正面図である。
【図３】図３は、本実施形態に係る詰め替え袋の段差部を示す部分拡大図である。
【図４】図４は、本実施形態に係る詰め替え袋を箱形容器に収容した状態を示す図である。
【発明を実施するための形態】
【００１１】
以下本発明を、その好ましい実施形態に基づき図面を参照しながら説明する。図１から図３には、本発明の一実施形態に係る詰め替え袋１０が示されている。
図１及び図２に示すように、詰め替え袋１０は、前面フィルム１０ａと、背面フィルム１０ｂと、底部に折り返しのマチ１１が形成されるように内側に折り込まれた底面フィルム１０ｃとで構成されており、ヒートシール等の公知のシール方法により、前面フィルム１０ａと背面フィルム１０ｂとが重なり合った両側部に、一対のサイドシール部１２，１２が形成され、前面フィルム１０ａと背面フィルム１０ｂとが重なり合った上端部に、シール幅の広いトップシール部１３が形成され、前面フィルム１０ａと底面フィルム１０ｃとが重なり合った下端部及び背面フィルム１０ｂと底面フィルム１０ｃが重なり合った下端部に、ヘムシール部１４が形成されている。
この場合、トップシール部１３の上下方向の長さＬ１は、トップシール部１３を摘まんで後述する開封開始部１５から開封するときの摘まみやすさを向上させる観点から、１０ｍｍ以上が好ましく、より好ましくは１０ｍｍ以上３０ｍｍ以下である。
【００１２】
一対のサイドシール部１２，１２は、マチ１１の領域では詰め替え袋１０の底端縁に対して傾いた斜めシール部１２ａとなっている。斜めシール部１２ａは、前面フィルム１０ａ又は背面フィルム１０ｂと、それら両フィルム１０ａ，１０ｂ間に２つ折り状態に折り込まれた底面フィルム１０ｃの縁部とが重なり合った部分に形成されている。
この斜めシール部１２ａの縁辺と底端縁の延長線とのなす角度θ１（図２参照）は、好ましくは４０°以上５０°以下、より好ましくは４５°である。これより、詰め替え袋１０の底部の外形が矩形になるので、詰め替え袋１０を箱形容器１の容器本体３０に収容したときに、詰め替え袋１０の外形を容器本体３０の内面形状にうまく沿わせることができる。
【００１３】
ここで、箱形容器１について説明すると、箱形容器１は、図４に示すように、上面に開口部を有する矩形箱状の容器本体３０と、容器本体３０の開口部を覆う蓋４０とを備えている。図４に示す矩形箱状の容器本体３０は、開口部となっている上面を含めた６面のすべてが長方形状である直方体状であるが、本発明でいう「矩形箱状の容器本体」は、６面の全てが長方形状のものに限定されず、開口部となっている上面を含めた６面のうち、相対向する任意の２面が正方形状で、残り４面が長方形状である直方体状の容器本体であっても良いし、上面を含めた６面の全てが正方形状である立方体状の容器本体であっても良い。
容器本体３０としては、板紙、プラスチックシート、プラスチックボックス等の板紙状材料を用いて形成された直方体型の容器を用いることができる。また、蓋４０は、容器本体３０の上面の開口部を覆うものであればよく、例えば、その一縁辺が容器本体３０の背面とヒンジ状に結合したものを使用することができる。
【００１４】
詰め替え袋１０の上部は、トップシール部１３と一対のサイドシール部１２，１２とで囲まれた平袋上部が形成されている。また、この詰め替え袋１０には、底部にヘムシール部１４及び斜めシール１２ａが形成されており、内容物が詰め替え袋１０に充填されると、詰め替え袋１０の底部のマチ１１が詰め替え袋１０の厚み方向に広がり、詰め替え袋１０単体での自立性が安定するようになっている。
詰め替え袋１０に充填する内容物は、固体、液体、半固体の何れでも良く、例えば、粉末洗剤、顆粒状の漂白剤等の粉末物、液体洗剤、液状食品等の液状物、ヘアケア用ジェル、ボディケア用ジェル、医薬用クリーム等のゲル状物、ペットフード、猫砂等の小固形物の集合体、腐葉土等が挙げられるが、これらに制限されるものではない。
【００１５】
一対のサイドシール部１２，１２は、詰め替え袋１０の両側部において上下方向に延びており、各サイドシール部１２の上端部には、トップシール部１３の下方を一方のサイドシール部１２から他方のサイドシール部１２に向かって詰め替え袋１０を破断する際の、破断を開始する部位である開封開始部１５が設けられている。なお、本明細書において、詰め替え袋１０を箱形容器１の容器本体３０に収容したときに、容器本体３０の開口部側に位置する側を上側または上方と呼称し、容器本体３０の底部側に位置する側を下側または下方と呼称する。また、容器本体３０に収容しない状態の袋１０、特に本発明の内容物収容袋については、袋を単独で観察した際に、トップシール部１３側に位置する側を上側または上方と呼称し、底部（底面フィルム１０ｃ）側に位置する側を下側または下方と呼称する。
開封開始部１５には、当該位置が開封開始部１５である旨を示す目印が設けられており、目印としては、目視により認識可能な印刷や触感により認識可能なエンボス処理等とすることができる。本実施形態においては、サイドシール部１２の両面に、開封開始部１５を示す印刷が施されており、この印刷が開封開始部１５を示す目印１６となっている。
【００１６】
また、各サイドシール部１２における開封開始部１５には、図３に示すように、サイドシール部１２の側端縁が上側の側端縁（以下、上側側端縁１２ａともいう）よりも下側の側端縁（以下、下側側端縁１２ｂともいう）が外側に張り出している段差部１７と、サイドシール部１２の幅方向に切り込み形成されたスリット１８とが設けられている。
【００１７】
段差部１７は、箱形容器１の容器本体３０に収容された詰め替え袋１０を、容器本体３０に収容された状態で、トップシール部１３の下方で開封する際に、容器本体３０内での開封開始部１５を容易に認識可能としたものであり、例えば、サイドシール部１２を、上側側端縁１２ａから下側側端縁１２ｂに向けてなぞっていくだけで、触感により、容易に開封開始部１５が認識可能になる。そのため、例えば、容器本体３０の中で、詰め替え袋１０の開封開始部１５の目印１６が見えなかったり、見えにくかったりした場合においても、容易に開封開始部１５を認識することができる。また、段差部１７は、上側側端縁１２ａより下側側端縁１２ｂがサイドシール部１２の幅方向の外側に張り出した形状になっているので、例えば、詰め替え袋１０を容器本体３０に入れる際に、段差部１７が容器本体３０に引っ掛かり、段差部１７を介して詰め替え袋１０が不用に破断してしまうことを防止することができる。さらに、詰め替え袋１０の収容後には、例えば、段差部１７から詰め替え袋１０を容易に開封させることができるようになる。
【００１８】
段差部１７は、サイドシール部１２の上側側端縁１２ａと下側側端縁１２ｂとの幅方向の距離Ｌ２が、好ましくは０．３ｍｍ以上、より好ましくは０．５ｍｍ以上であり、また好ましくは３ｍｍ以下、より好ましくは２ｍｍ以下である。また、好ましくは０．３ｍｍ以上３ｍｍ以下であり、より好ましくは０．５ｍｍ以上２ｍｍ以下である。前記距離Ｌ２を上記範囲の下限値以上とすることで、消費者の段差部１７への触感が向上して、より確実に段差部１７を認識させることができ、また、前記距離Ｌ２を上記範囲の上限値以下とすることで、容器本体３０との密着性が向上する。
同様に、段差部１７は、詰め替え袋１０を容器本体３０に収容した際の認識性の観点から、上側側端縁１２ａと、上側側端縁１２ａと下側側端縁１２ｂとを接続する接続端縁１２ｃの、サイドシール部１２の幅方向における中点１２ｄでの接線１９と、のなす角度θ２が、９０°以上であることが好ましい。また、段差部１７の認識性及び消費者の指が段差部１７に触れた際の感触の点から、接線１９は、上側側端縁１２ａから下側側端縁１２ｂに向けて下り傾斜していることが好ましく、この観点から、角度θ２は、９０°より大きく１５０°以下が好ましく、１００°以上１４０°以下が、より好ましい。
また、段差部１７は、消費者の指が段差部１７に触れた際の感触を向上させる観点から、上側側端縁１２ａ及び下側側端縁１２ｂと接続端縁１２ｃとの連結箇所をＲ形状とすることが好ましい。連結箇所をＲ形状にすることで、例えば、上側側端縁１２ａから下側側端縁１２ｂに向けて消費者が段差部１７を滑らかになぞることができる。
【００１９】
また、サイドシール部１２における段差部１７の上下方向の形成位置は、詰め替え袋１０に内容物が収容された開封前の状態における詰め替え袋１０の底部から段差部１７における前述した中点１２ｄまでの高さＨ１（例えば、図１参照）が、箱形容器１の容器本体３０の深さＨ２（例えば、図４参照）と略同寸法となる位置である。ここで、詰め替え袋１０の底部からの段差部１７の中点１２ｄまでの高さＨ１が、容器本体３０の深さＨ２と略同寸法であるとは、段差部１７から詰め替え袋１０を開封した場合の詰め替え袋１０の開口面と容器本体３０の開口部の面とが略同位置であると言える程度にこれらの寸法Ｈ１、Ｈ２が近接していることをいう。例えば、容器本体３０の深さＨ２と詰め替え袋１０の底部から段差部１７の中点１２ｄまでの高さＨ１との差が、好ましくは５ｍｍ以内、より好ましくは３ｍｍ以内である場合、詰め替え袋１０の開口面と容器本体３０の開口部の面とは略同位置となる。
【００２０】
また、蓋４０の密閉性の観点から、詰め替え袋１０の底部から段差部１７の中点１２ｄまでの高さＨ１は、容器本体３０の開口部の面から突出しないようにすることが好ましく、開封開始部１５からの開封し易さの観点から、詰め替え袋１０の底部から段差部１７の中点１２ｄまでの高さＨ１は、容器本体３０の深さＨ２よりも過度に低くならないようにすることが好ましい。具体的には、蓋４０の密閉性の観点及び開封開始部１５からの開封しやすさの観点から、詰め替え袋１０の底部から段差部１７の中点１２ｄまでの高さＨ１は、容器本体３０の深さＨ２と詰め替え袋１０の底部から段差部１７の中点１２ｄまでの高さＨ１との差（Ｈ２−Ｈ１）を０ｍｍ以上５ｍｍ以下とすることが好ましい。
【００２１】
段差部１７とスリット１８との位置関係としては、接続端縁１２ｃの中点１２ｄを通り幅方向に延びる仮想線２０を引いた場合に、仮想線２０からの距離Ｌ３が０ｍｍ以上２ｍｍ以下であることが好ましい。本実施形態においては、スリット１８は、仮想線２０に対して１ｍｍ上方に位置している。スリット１８を仮想線２０の上方に設けることで、例えば、内容物が収容された開封前の詰め替え袋１０を、容器本体３０に収容した状態で、詰め替え袋１０を開封する際に、詰め替え袋１０を幅方向に安定して開封することができる。
【００２２】
また、スリット１０は、段差部１７の中点１２ｄにおける接線１０が横切るように形成されている。言い換えると、スリット１０は、接線１９と交差する位置及び向きに形成されている。段差部１７の接線１９がスリット１８を横切るようにスリット１８を形成することで、例えば、内容物が収容された開封前の詰め替え袋１０を、容器本体３０に収容した状態で、詰め替え袋１０を開封する際に、詰め替え袋１０を一層安定して開封することができる。
【００２３】
開封開始部１５におけるスリット１８の幅方向の形成位置としては、スリット１８がサイドシール部１２の側端縁から幅方向の内側に０．５ｍｍ以上２．０ｍｍ以下離間した位置に設けられることが好ましく、より好ましくは０．８ｍｍ以上１．５ｍｍ以下離間した位置である。本実施形態においては、スリット１８は、サイドシール部１２の上側側端縁１２ａから幅方向の内側に、１ｍｍ離間した位置に設けられている。
【００２４】
スリット１８の幅方向における長さとしては、詰め替え袋１０の引き裂き易さの観点から、０．５ｍｍ以上２．０ｍｍ以下が好ましく、より好ましくは０．８ｍｍ以上１．５ｍｍ以下である。本実施形態においては、スリット１８の幅方向における長さは、１ｍｍに形成されている。
【００２５】
また、スリット１８とトップシール部１３との上下方向における位置関係としては、開封の安定性の観点から、両側部のスリット１８を結ぶ線が、トップシール部１３と離間していることが好ましく、その離間距離は、トップシール部１３の下端から１ｍｍ以上２０ｍｍ以下が好ましく、より好ましくは２ｍｍ以上１０ｍｍ以下である。本実施形態においては、スリット１８は、トップシール部１３の下端から上下方向における５ｍｍ下方に位置している。
これにより、例えば、内容物が収容された開封前の詰め替え袋１０を容器本体３０に入れた状態で、段差部１７からスリット１８を介して詰め替え袋１０を開封するときに、前面フィルム１０ａ及び背面フィルム１０ｂが共に一方のサイドシール部１２から他方のサイドシール部１２に向かってトップシール部１３に沿って引き裂かれるので、前面フィルム１０ａ及び背面フィルム１０ｂの引裂方向が揃い、詰め替え袋１０を容器本体３０に入れたまま、容易に幅方向に開封することができる。特に、詰め替え袋１０が引裂性を有さない汎用的なフィルムである場合の引裂直進性の向上に有用である。
また、詰め替え袋１０が引裂性を有するフィルムで形成されている場合でも、スリット１８を設けることで、例えば、開封の途中で上方に向かって引き裂かれ、開封位置がトップシール部１３の領域に入ってしまうことで引き裂きにくくなることなく、最後まで、容易かつ安定した状態で詰め替え袋を開封することができる。つまり、スリット１８を設けることで、詰め替え袋１０の幅方向の引裂直進性を顕著に高めることができる。
【００２６】
詰め替え袋１０を形成するフィルムとしては、ポリエチレンテレフタレート等のポリエステル；ナイロン等のポリアミド；低密度ポリエチレン（ＬＤＰＥ）、リニア低密度ポリエチレン（Ｌ−ＬＤＰＥ）、延伸ポリプロピレン（ＯＰＰ）、無延伸ポリプロピレン（ＣＰＰ）等のオレフィン系フィルム等が挙げられ、単層又は積層フィルムとして使用できる。中でも、延伸などにより引裂直進性を有するフィルムが好ましく、特に、詰め替え袋１０を形成するフィルムを外側表層及び／又は中間層と内側シーラント層とを備えた積層フィルムとする場合、内側シーラント層と、外側表層及び／又は中間層がそれぞれ袋の幅方向の引裂直進性を有することが好ましい。内側シーラント層で引裂直進性を有するものとしては、リニア低密度ポリエチレン（Ｌ−ＬＤＰＥ）等に対して易カット加工を施したものが好ましい。
【００２７】
なお、引裂直進性を有するフィルムを使用する場合に、詰め替え袋１０の全体で使用してもよく、引裂性を付与する袋上部のみで使用してもよい。
【００２８】
また、詰め替え袋１０を形成するフィルムとしては、詰め替え袋１０に充填する内容物に応じて、酸素、水などに対してバリア性を有するものを使用することが好ましい。これにより、容器本体３０自体に必要とされるバリア性を低下させることができ、容器本体３０の製造コストを低減し、箱形容器１全体としての製造コストも低減させることができる。詰め替え袋１０を形成するフィルムにバリア性を持たせるためには、詰め替え袋１０を形成するフィルムに、バリア性を有するフィルム層を積層すればよい。この他、必要に応じて、詰め替え袋１０を形成するフィルムには、印刷適正を向上させる層や、シール性を向上させる層を設けても良い。
【００２９】
詰め替え袋１０を形成するフィルムの厚さとしては、内容物が無い状態でも詰め替え袋１０が自立する程度にフィルムがコシを有するように、好ましくは４０μｍ以上、より好ましくは１００μｍ以上であり、好ましくは２００μｍ以下、より好ましくは１５０μｍ以下であり、より具体的には、４０μｍ以上２００μｍ以下、より好ましくは１００μｍ以上１５０μｍ以下である。
これにより、詰め替え袋１０を開封後、詰め替え袋１０内の内容物の使用に伴って内容物が減り、内容物が詰め替え袋１０を容器本体３０の内壁に押し付ける位置が下がっても、詰め替え袋１０が開口状態を維持し、内容物の取り出しやすさを保つことができる。なお、詰め替え袋１０の自立性は、前述のように、詰め替え袋１０の底部にヘムシール１４を形成することによっても向上させることができる。
【００３０】
なお、詰め替え袋１０を収容する容器本体３０としては、板紙、プラスチックシート、プラスチックボックス等の板紙状材料を用いて形成された直方体型の容器とすることができる。
また、蓋４０は、容器本体３０の上面の開口部を覆うものであればよく、例えば、その一縁辺が容器本体３０の背面とヒンジ状に結合したものを使用することができる。
【００３１】
詰め替え袋１０は、図４に示す箱形容器１の詰め替え袋として好ましく使用することができる。この場合の使用方法としては、まず、箱形容器１の蓋４０を開け、空になった容器本体３０に詰め替え袋１０を詰め替える。このとき、詰め替え袋１０が逆テーパー型となり、マチ１１により形成される底部の面積を容器本体３０の底面の面積と同等以下にすることができるので、容易に容器本体３０に挿入することができる。また、段差部１７は、上側側端縁１２ａより下側側端縁１２ｂがサイドシール部１２の幅方向の外側に張り出した形状、言い換えれば、上側側端縁１２ａが下側側端縁１２ｂより内側に位置しているので、挿入時に段差部１７が容器本体３０に引っ掛かり、段差部１７を介して詰め替え袋１０が不用に破断してしまうことが防止される。
【００３２】
次に、詰め替え袋１０のサイドシール部１２の上側側端縁１２ａから下側側端縁１２ｂに向かってなぞり、段差部１７を確認する。段差部１７を確認すると、トップシール部１３を摘まみ、トップシール部１３を幅方向に引っ張る。これにより、段差部１７からスリット１８を介して詰め替え袋１０が幅方向に引き裂かれる。この引き裂きにより、詰め替え袋１０はその全幅にわたってその上端部が除去される。そして、容器本体３０内に残った詰め替え袋１０は、詰め替え袋１０内の内容物によって容器本体３０の内壁に押し付けられ、広く開口する。
【００３３】
以上、本発明をその好ましい実施形態に基づき説明したが、本発明は前記実施形態に制限されない。また、前記の各実施形態は、本発明の趣旨を逸脱しない範囲で適宜に組み合わせることが可能である。
例えば、上述した実施形態の詰め替え袋１０は、一対のサイドシール部１２，１２のそれぞれに段差部１７，１７が設けられた構成であったが、本発明の詰め替え袋及び内容物収容袋における段差部１７は、一対のサイドシール部１２，１２のうちの一方のみに設けられていても良い。その場合、段差部１７が設けられているサイドシール部が、「トップシール部の下方を一方のサイドシール部から他方のサイドシール部に向かって破断」する際の「一方のサイドシール部」となる。一対のサイドシール部１２，１２の両方に段差部を有し、いずれのサイドシール部１２からも破断を開始可能な場合、任意に決定した一方のサイドシール部から他方のサイドシール部に向かって破断することができる。
【００３４】
また、上述した実施形態の詰め替え袋１０は、開封開始部１５に段差部１７及びスリット１８が設けられた構成であったが、本発明の詰め替え袋及び内容物収容袋においては、一方又は双方のサイドシール部における開封開始部１５に段差部１７のみが設けられていても良い。即ち、本発明においてスリットは必須の構成要素ではない。スリット１８がない開封開始部１５は、段差部１７から引き裂かれる。
また上述した実施形態の詰め替え袋１０は、前面フィルム１０ａ、背面フィルム１０ｂ及び底面フィルム１０ｃで構成されていたが、本発明の詰め替え袋及び内容物収容袋は、１枚のフィルムシートを折り曲げて形成したものであっても良い。
また本発明の詰め替え袋１０には、粉状物等の本来の内容物に加えて、その内容物を開封した詰め替え袋内から取り出すためのスプーン等が収容されていても良い。
【００３５】
また、上述した実施形態の詰め替え袋１０は、矩形箱状の容器本体に収容せず、そのまま開封して使用する内容物が充填された袋として用いてもよい。即ち、本発明は、上面に開口部を有する矩形箱状の容器本体に収容される、内容物が充填されたフィルム製の詰め替え袋に加えて、矩形箱状の容器本体に収容される否かを問わない、内容物が充填されたフィルム製の内容物収容袋を提供するものである。上述した実施形態の詰め替え袋１０を、矩形箱状の容器本体に収容せずに単独で使用する場合や、矩形箱状の容器本体に収容する前の段階においては、同一形態及び同一構成のままで、本発明の内容物収容袋の好ましい一実施形態となる。上述した詰め替え袋１０の構成や好ましい構成についての説明は、本発明の内容物収容袋の好ましい構成についての説明となる。
【符号の説明】
【００３６】
１  箱形容器
１０    詰め替え袋
１０ａ    前面フィルム
１０ｂ    背面フィルム
１２    サイドシール部
１２ｄ    中点
１３    トップシール部
１５    開封開始部
１７    段差部
１８    スリット
１９    接線
３０    容器本体
４０    蓋部
【図１】
0006612569.tif 000002
【図２】
0006612569.tif 000003
【図３】
0006612569.tif 000004
【図４】
0006612569.tif 000005